(57)【要約】【課題】風路損を小さくすることができ、塵埃が溜まっても風量が落ちず、しかも塵埃分離部のネットフィルタの掃除がし易い電気掃除機を提供する。【解決手段】連通パイプ９２から吸引した塵埃を分離するネットフィルタＦ２を有する塵埃分離部６０と、この塵埃分離部６０によって分離された塵埃を集塵する集塵室部５５とを有する集塵ケース５０を備え、連通パイプ９２と対向する塵埃分離部６０の開口６２Ａの径がその連通パイプ９２の径より大きくなっている電気掃除機であって、塵埃分離部６０の開口６２Ａに対向する前側開口５０ａを集塵ケース５０のケース体５３に設け、前側開口５０ａを閉塞する開閉蓋９０を開閉可能に設け、この開閉蓋９０に連通パイプ９２を設けた。【選択図】  図８
2004167150.tif 000002
【特許請求の範囲】
【請求項１】
吸込口から吸引した塵埃を分離するネットフィルタを有する塵埃分離部と、この塵埃分離部によって分離された塵埃を集塵する集塵部とを有する集塵ケースを備え、前記吸込口と対向する塵埃分離部の入口開口の径がその吸込口の径より大きくなっている電気掃除機であって、
前記塵埃分離部の入口開口に対向するケース開口を前記集塵ケースに設け、
前記ケース開口を閉塞する開閉蓋を開閉可能に設け、
この開閉蓋に前記吸込口を設けたことを特徴とする電気掃除機。
【請求項２】
前記ケース開口の径と前記塵埃分離部の開口の径とをほぼ同一にしたことを特徴とする請求項１に記載の電気掃除機。
【請求項３】
前記集塵ケースを掃除機本体に着脱可能に設けたことを特徴とする請求項１または請求項２に記載の電気掃除機。
【発明の詳細な説明】
【０００１】
【発明の属する技術分野】
この発明は、吸引した塵埃を分離する塵埃分離部と塵埃を集塵する集塵部を備えた電気掃除機に関する。
【０００２】
【従来の技術】
従来から、図９に示すサイクロン方式の電気掃除機が知られている（例えば特許文献１参照）。
【０００３】
かかる電気掃除機は、上部が開口されたダストカップ１と、このダストカップ１内を負圧にする電動送風機２等とを備えている。ダストカップ１の周壁１Ａには吸気口３が形成され、この吸気口３は塵埃を吸引する吸込口体４に吸気通路５を介して連通している。
【０００４】
そして、吸込口体４から吸引された塵埃は吸気通路５を介してダストカップ１の吸気口３からダストカップ１内に吸引される。このダストカップ１内では旋回流が発生して、塵埃と空気が分離され、空気のみがダストカップ１の上部開口から電動送風機２に吸引されて外部へ排気される。
【０００５】
【特許文献１】
特開２００１−１０４２２３号公報（段落３８，４５、図２）
【０００６】
【発明が解決しようとする課題】
ところで、このような電気掃除機にあっては、吸気通路５を上方に向かって吸引された空気は９０度向きが変えられて吸気口３からダストカップ１内に入り、ここで旋回流となってダストカップ１の周壁１Ａに沿って回転され、この後空気のみが上方に向かって電動送風機２に吸引されていく。このように、空気の流れの方向が２度変えられることにより、その空気の風路損が大きく、しかも空気はダストカップ１内で回転した後電動送風機２に吸引されていくので、その風路損は非常に大きなものとなり、電動送風機の能力を十分に発揮することができないという問題があった。
【０００７】
そこで、空気の旋回流を発生させずに塵埃を分離する塵埃分離部が提案されている。かかる塵埃分離部は、塵埃を吸引する吸込口から電動送風機の吸気口に至る風路に配置されるとともに、直線状の風路を有する管部と、この管部の周壁に設けた開口と、この開口に設けたネットフィルタとを有している。そして、その開口が電動送風機の吸気口に連通され、その吸込口から管部内へ吸引した重量のある塵埃を慣性により管部の風路内に直進させることにより、その塵埃と空気とを分離させるものである。
【０００８】
しかしながら、吸込口の径が管部の入口開口の径より小さくなっているので、ネットフィルタに付着した塵埃を掃除するのが面倒であるという問題がある。
【０００９】
この発明の目的は、塵埃分離部のネットフィルタの掃除がし易い電気掃除機を提供することにある。
【００１０】
【課題を解決するための手段】
上記目的を達成するため、この発明は、吸込口から吸引した塵埃を分離するネットフィルタを有する塵埃分離部と、この塵埃分離部によって分離された塵埃を集塵する集塵部とを有する集塵ケースを備え、前記吸込口と対向する塵埃分離部の入口開口の径がその吸込口の径より大きくなっている電気掃除機であって、
前記塵埃分離部の入口開口に対向するケース開口を前記集塵ケースに設け、
前記ケース開口を閉塞する開閉蓋を開閉可能に設け、
この開閉蓋に前記吸込口を設けたことを特徴とする。
【００１１】
【実施の形態】
以下、この発明に係る電気掃除機の実施の形態を図面に基づいて説明する。
【００１２】
図１において、２０は掃除機本体であり、この掃除機本体２０にはホース２１の一端が着脱自在に接続され、その他端には手元操作管２２が設けられている。手元操作管２２には延長管２３が着脱自在に接続され、延長管２３の先端部には吸込口体２４が着脱自在に接続されている。手元操作管２２には操作部２２Ａが設けられており、この操作部２２Ａには図示しない操作スイッチが設けられている。
【００１３】
掃除機本体２０は、図２ないし図４に示すように、本体ケース３０と、本体ケース３０に着脱自在に載置される集塵ケース（ダストカップ）５０と、後部が本体ケース３０にヒンジ結合されて上下方向に開閉可能となっている蓋体４０とを備えている。
【００１４】
本体ケース３０は、下部に形成されるとともにコードリールＣＲを収納したコードリール室３６と、このコードリール室３６の上に形成されるとともに電動送風機３３を内蔵した電動室３４とを有しており、コードリール室３６の前面には前方へ突出した皿状の載置部３５が設けられている。この載置部３５には集塵ケース５０が着脱自在に載置され、蓋体４０を閉じた際にこの蓋体４０と載置部３５とで集塵ケース５０を挟持して固定するようになっている。
【００１５】
また、本体ケース３０の電動室３４の前面は開口され、この開口３４Ａは電動送風機３３の吸気開口（吸気口）３３Ａに対向するとともに連通している。本体ケース３０の両側面には、複数の排気孔３８が形成されている。この排気孔３８は図示しない排気風路を介して電動送風機３３の排気口３３Ｂと連通しており、電動送風機３３の排気口３３Ｂから排気される空気は排気風路を介して排気孔３８から外へ排気されるようになっている。
【００１６】
蓋体４０には、集塵ホース２１を着脱自在に接続する接続口４３を前端に有する接続パイプ４４が設けられている。この接続パイプ４４は前後方向に延びており、その後端は開口４５Ａを有している。
【００１７】
集塵ケース５０は、図５ないし図７に示すように、後面（図６において右側）に後端開口５１を有し前面に前側開口（ケース開口）５０ａを有するケース体５３と、このケース体５３に一体形成された把手部５４とを有している。
【００１８】
ケース体５３は、下部に形成した集塵室部（集塵部）５５と、この集塵室部５５の上に形成した負圧室部５６と、この負圧室部５６内に設けられた塵埃分離部６０と、この塵埃分離部６０で分離された塵埃を集塵室部５５へ案内する案内管７０とを有している。
【００１９】
集塵室部５５の底部には、底板５７が軸Ｊ回りに開閉可能に取り付けられており、この底板５７を開けることにより集塵室部５５内に蓄積される塵埃が捨てられるようになっている。集塵室部５５と負圧室部５６とを区画する集塵室部５５の天板５８には開口５９が形成され、この開口５９により集塵室部５５と負圧室部５６とを連通しており、開口５９には図７に示すようにネットフィルタＦ１が取り付けられている。また、天板５８の側壁部５５ａの近傍には接続穴５８Ａが形成され、この接続穴５８Ａには案内管７０の他端が接続されている。この接続穴５８Ａを側壁部５５ａの近傍に設けたのは、集塵室部５５内で内壁に沿って旋回流を発生させるためである。
【００２０】
また、集塵室部５５の後壁部５５Ａはケース体５３の開口５１より内側に引き込んでおり、その開口５１内にフィルタ８０（図４参照）が着脱自在に装着されるようになっている。
【００２１】
塵埃分離部６０は、筒状の風路６１を形成した管部６２を有している。この管部６２の一端開口（入口開口）６２Ａの径は後述する連通パイプ９２の内径より大きく形成され、且つケース体５３の前側開口５０ａの径とほぼ同一に設定されており、管部６２の他端開口６２Ｂの径はその連通パイプ９２の内径とほぼ同一に設定され、管部６２の径は一端から他端にいくにしたがって直線的に漸減している。管部６２の他端開口６２Ｂは案内管７０の一端に接続されている。なお、管部６２の他端開口６２Ｂの径は連通パイプ９２の内径より小さくてもよい。
【００２２】
また、管部６２の風路６１は前後方向に直線状に延びており、蓋体４０の接続パイプ４４と、後述する連通パイプ９２と、管部６２と、ケース体５３の開口５１と、電動送風機３３の吸気開口３３Ａとが一直線上に配置されている。
【００２３】
また、管部６２の周壁には複数の開口６４が全周に亘って一様に設けられており、この開口６４には図６に示すようにネットフィルタＦ２が取り付けられている。ここでは、管部６２は円形の枠体Ｗ１，Ｗ２と枠体Ｗ１，Ｗ２を連結した複数の枠体Ｗ３とで構成され、開口６４は各枠体Ｗ１〜Ｗ３によって囲まれた空間となっている。また、風路６１は枠体Ｗ３によって囲まれて形成されている。
【００２４】
そして、管部６２の風路６１は、管部６２の開口６４とケース体５３の負圧室部５６と本体ケース３０の電動室３４の開口３４Ａを介して電動送風機３３の吸気開口３３Ａに連通している。また、管部６２の風路６１と、開閉蓋９０の連通パイプ９２と、蓋体４０の接続パイプ４４とが一直線状に配置されており、管部６２の風路６１の延びる方向に電動送風機３３の吸気開口３３Ａが向き合っている。
【００２５】
ケース本体５３の前側開口５０ａは開閉蓋９０により閉塞されている。開閉蓋９０の裏面には、その前側開口５０ａの周縁部に当接するシール部材９１が取り付けられており、このシール部材９１により前側開口５０ａと開閉蓋９０との間をシールしている。
【００２６】
開閉蓋９０には、蓋体４０の接続パイプ４４に連通する連通パイプ９２が設けられており、この連通パイプ（吸込口）９２の前端の開口９２Ａは蓋体４０の接続パイプ４４の開口４５Ａに接合し、連通パイプ９２はケース体５３の前側開口５０ａを介して塵埃分離部６０の風路６１に連通している。開閉蓋９０の上部には後方（図５において右方）に延びる一対のアーム９３（一方のみ図示）が設けられ、このアーム９３の先端部には左右方向（図８において紙面と直交する方向）に延びる軸Ｐが設けられており、この軸Ｐがケース体５３の上部に回動自在に取り付けられている。
【００２７】
そして、開閉蓋９０は、図８に示すように軸Ｐを中心にして回動することによりケース体５３の前側開口５０ａを開放するようになっている。すなわち、開閉蓋９０は、軸Ｐを中心にして回動することにより開閉動作する。
［動  作］
次に、上記のように構成される電気掃除機の動作について説明する。
【００２８】
先ず、図４に示すように、集塵ケース５０を本体ケース３０の載置部３５に載置して蓋体４０を閉じ、ホース２１を蓋体４０の接続口４３に接続する。そして、操作部２２Ａの図示しないスイッチを操作すると電動送風機２３が駆動される。この電動送風機２３の駆動により、本体ケース３０の開口３４Ａを介してケース体５３の負圧室部５６が負圧となる。この負圧が管部６２の開口６４，管部６２の風路６１，ケース体５３の前側開口５０ａ，開閉蓋９０の連通パイプ９２，蓋体４０の接続パイプ４４，ホース２１，延長管２３および吸込口体２４に作用し、吸込口体２４から空気とともに塵埃が吸引されていく。
【００２９】
この吸引された塵埃および空気が延長管２３およびホース２１を介して蓋体４０の接続口４３へ吸引されていく。この接続口４３へ吸引された塵埃および空気は、蓋体４０の接続パイプ４４，開閉蓋９０の連通パイプ９２，ケース体５３の前側開口５０ａを通って塵埃分離部６０の管部６２の風路６１に吸引されていく。
【００３０】
風路６１に吸引された空気は管部６２の開口６４のネットフィルタＦ２を介してケース体５３の負圧室部５６に吸引され、さらにケース体５３の開口５１に装着したフィルタ８０を介して電動送風機３３の吸気開口３３Ａに吸引されていく。
【００３１】
一方、管部６２の風路６１に吸引された所定以上の質量のある塵埃は、その風路６１が前後方向に直線状に延びていることにより、風路６１を直進して案内管７０により集塵室部５５内へ導入されていく。すなわち、塵埃分離部６０により空気と塵埃が分離されることになる。
【００３２】
また、空気の一部は案内管７０を介して集塵室部５５内へ導入され、この導入された空気は集塵室部５５の内壁に沿って旋回流となり、集塵室部５５内へ導入さた塵埃はその旋回流により圧縮されながら蓄積されていく。
【００３３】
集塵室部５５内に導入された空気は、旋回流となった後集塵室部５５の天板５８の開口５９を介してケース体５３の負圧室部５６に吸引されていく。
【００３４】
重さの軽い微細な塵埃は、管部６２の風路６１を直進することなく開口６４のネットフィルタＦ２を通る空気に乗って流れていくので、ネットフィルタＦ２に付着していく。そして、微細な塵埃の付着によりネットフィルタＦ２の目詰まりが大きくなると、そのネットフィルタＦ２を通る風量が減少していくが、その減少した分だけケース体５３の負圧室部５６の負圧が大きくなり、天板５８の開口５９を介して集塵室部５５内の負圧も大きくなる。このため、管部６２の風路６１を直進する空気の風速が大きくなり、その直進する風量も増加することになる。
【００３５】
管部６２の風路６１を直進する風速が大きくなると、その直進する空気がネットフィルタＦ２に付着した塵埃を剥がしていく。この際、管部６２の径が開口６２Ｂに行くにしたがって直線的に漸減していることにより、ネットフィルタＦ２の全面に風路６１を直進する風が一様に当たりやすくなり、このためネットフィルタＦ２に付着した塵埃は剥がれ易いものとなる。
【００３６】
剥がれた塵埃は案内管７０を介して集塵室部５５内へ導入されて蓄積されていく。
【００３７】
また、目詰まりによりネットフィルタＦ２を通る風量が減少しても、管部６２の風路６１を直進する風量が増加するので、電動送風機３３が吸引する風量は一定に保たれる。このため、ネットフィルタＦ２の目詰まりに拘わりなく、常に所定の吸引力で塵埃を吸引することができることになる。
【００３８】
また、管部６２の風路６１内で旋回流を生じさせて塵埃と空気とを分離させていないことにより、その風路６１内での風路損は小さなものとなる。しかも、管部６２の風路６１からネットフィルタＦ２を通ってケース体５３の負圧室部５６に吸引されていく際、管部６２の風路６１と開閉蓋９０の連通パイプ９２と蓋体４０の接続パイプ４４とケース体５３の開口５１と電動送風機３３の吸込開口３３Ａとが一直線上に配置されていることにより、その空気の流れの向きは矢印Ｑ（図４参照）で示すように大きく変わることがなく、ほぼ直線的に流れて電動送風機３３に吸引されていく。
【００３９】
このため、その風路損はさらに小さなものとなり、電動送風機３３の機能を十分に発揮することができることになる。さらに、開閉蓋９０の連通パイプ９２と管部６２とが一直線上に並んでいることにより、その連通パイプ９２に向けて導入される空気の方向が管部６２の延びる方向と一直線状になるので、その風路損はより一層小さなものとなる。
【００４０】
塵埃分離部６０のネットフィルタＦ２に付着した塵埃を掃除する場合には、先ず図３に示すように蓋体４０を開けて、本体ケース３０の載置部３５から集塵ケース５０を取り外す。そして、図８に示すように、集塵ケース５０のケース体５３の開閉蓋９０を開成して、ケース体５３の前側開口５０ａを開放する。この開放により、その前側開口５０ａから指などを入れることができるので、ネットフィルタＦ２に付着した塵埃を指などで掻き落とすことができ、ネットフィルタＦ２の掃除が大変し易いものとなる。また、さらに集塵ケース５０ごと水洗いすればよりきれいに掃除することができる。
【００４１】
【発明の効果】
以上説明したように、この発明によれば、塵埃分離部のネットフィルタの掃除が大変し易いものとなる。
【図面の簡単な説明】
【図１】この発明に係る電機掃除機の外観を示した斜視図である。
【図２】図１に示す電気掃除機の掃除機本体を示した側面図である。
【図３】図２に示す掃除機本体の蓋体を開けた状態を示した側面図である。
【図４】図２に示す掃除機本体の一部を断面にした側面図である。
【図５】集塵容器を示した側面図である。
【図６】集塵容器の構成を示した縦断面図である。
【図７】集塵容器を示した平断面図である。
【図８】図６に示す集塵容器の開閉蓋を開成した状態を示した縦断面図である。
【図９】従来の電気掃除機の構成を示した説明図である。
【符号の説明】
３３                    電動送風機
３３Ａ                吸気開口（吸気口）
５０                    集塵ケース
５０ａ                前側開口（ケース開口）
５３                    ケース体
５５                    集塵室部
６０                    塵埃分離部
６２Ａ                開口
６４                    開口
９０                    開閉蓋
９２                    連通パイプ（吸込開口）
Ｆ２                    ネットフィルタ
【図１】
2004167150.tif 000003
【図２】
2004167150.tif 000004
【図３】
2004167150.tif 000005
【図４】
2004167150.tif 000006
【図５】
2004167150.tif 000007
【図６】
2004167150.tif 000008
【図７】
2004167150.tif 000009
【図８】
2004167150.tif 000010
【図９】
2004167150.tif 000011
【手続補正書】
【提出日】平成15年3月24日(2003.3.24)
【手続補正１】
【補正対象書類名】明細書
【補正対象項目名】特許請求の範囲
【補正方法】変更
【補正の内容】
【特許請求の範囲】
【請求項１】
吸込口から吸引した塵埃を分離する筒状のネットフィルタを有する塵埃分離部と、この塵埃分離部によって分離された塵埃を集塵する集塵部とを有する集塵ケースを備え、前記吸込口と対向する塵埃分離部の入口開口の径がその吸込口の径より大きく構成した電気掃除機であって、
前記塵埃分離部の入口開口に対向するケース開口を前記集塵ケースに設け、
前記ケース開口を閉塞する開閉蓋を開閉可能に設け、
この開閉蓋に前記吸込口を設けたことを特徴とする電気掃除機。
【請求項２】
前記ケース開口の径と前記塵埃分離部の入口開口の径とをほぼ同一にしたことを特徴とする請求項１に記載の電気掃除機。
【請求項３】
前記集塵ケースを掃除機本体に着脱可能に設けたことを特徴とする請求項１または請求項２に記載の電気掃除機。
【請求項４】
前記筒状のネットフィルタは、前記吸込口から吸引した塵埃を慣性で直進させてその塵埃と空気とを分離することを特徴とする請求項１ないし請求項３のいずれか１つに記載の電気掃除機。
【手続補正２】
【補正対象書類名】明細書
【補正対象項目名】００１０
【補正方法】変更
【補正の内容】
【００１０】
【課題を解決するための手段】
上記目的を達成するため、この発明は、吸込口から吸引した塵埃を分離する筒状のネットフィルタを有する塵埃分離部と、この塵埃分離部によって分離された塵埃を集塵する集塵部とを有する集塵ケースを備え、前記吸込口と対向する塵埃分離部の入口開口の径がその吸込口の径より大きく構成した電気掃除機であって、
前記塵埃分離部の入口開口に対向するケース開口を前記集塵ケースに設け、
前記ケース開口を閉塞する開閉蓋を開閉可能に設け、
この開閉蓋に前記吸込口を設けたことを特徴とする。


【手続補正３】
【補正対象書類名】明細書
【補正対象項目名】００１９
【補正方法】変更
【補正の内容】
【００１９】
集塵室部５５の底部には、底板５７が軸Ｊ回りに開閉可能に取り付けられており、この底板５７を開けることにより集塵室部５５内に蓄積される塵埃が捨てられるようになっている。集塵室部５５と負圧室部５６とを区画する集塵室部５５の天板５８には開口５９が形成され、この開口５９により集塵室部５５と負圧室部５６とを連通しており、開口５９には図７に示すようにネットフィルタＦ１が取り付けられている。また、天板５８には集塵室部５５の側壁部５５ａの近傍に接続穴５８Ａが形成され、この接続穴５８Ａには案内管７０の他端が接続されている。この接続穴５８Ａを側壁部５５ａの近傍に設けたのは、集塵室部５５内で内壁に沿って旋回流を発生させるためである。


【手続補正４】
【補正対象書類名】図面
【補正対象項目名】図７
【補正方法】変更
【補正の内容】
【図７】
2004167150.tif 000012
【手続補正書】
【提出日】平成15年6月12日(2003.6.12)
【手続補正１】
【補正対象書類名】明細書
【補正対象項目名】請求項１
【補正方法】変更
【補正の内容】
【請求項１】
吸込口から吸引した塵埃を分離する筒状のネットフィルタを有する塵埃分離部と、この塵埃分離部によって分離された塵埃を集塵する集塵部とを有する集塵ケースと、この集塵ケースに蓄積される塵埃を捨てるための開閉可能な底板とを備え、前記吸込口と対向する塵埃分離部の入口開口の径がその吸込口の径より大きく構成した電気掃除機であって、
前記塵埃分離部の入口開口に対向するケース開口を前記集塵ケースに設け、
前記ケース開口を閉塞する開閉蓋を開閉可能に前記集塵ケースに設け、
この開閉蓋に前記吸込口を設けたことを特徴とする電気掃除機。
【手続補正２】
【補正対象書類名】明細書
【補正対象項目名】００１０
【補正方法】変更
【補正の内容】
【００１０】
【課題を解決するための手段】
上記目的を達成するため、この発明は、吸込口から吸引した塵埃を分離する筒状のネットフィルタを有する塵埃分離部と、この塵埃分離部によって分離された塵埃を集塵する集塵部とを有する集塵ケースと、この集塵ケースに蓄積される塵埃を捨てるための開閉可能な底板とを備え、前記吸込口と対向する塵埃分離部の入口開口の径がその吸込口の径より大きく構成した電気掃除機であって、
前記塵埃分離部の入口開口に対向するケース開口を前記集塵ケースに設け、
前記ケース開口を閉塞する開閉蓋を開閉可能に前記集塵ケースに設け、
この開閉蓋に前記吸込口を設けたことを特徴とする。